【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
光学部材と、
前記光学部材を固定する固定枠とを備え、
前記固定枠は、光軸と直交する方向へ弾性変位した状態で前記光学部材を保持する係合部を有し、
前記係合部には、前記光学部材の光軸方向への移動を規制するように前記光学部材と係合する爪部と固着部とが設けられ、
前記係合部が前記光学部材を保持するために光軸と直交する方向へ弾性変位した状態で、前記固着部は前記固定枠の一部と重なるように形成され、重なっている前記固着部と前記固定枠の一部とが固着されていることを特徴とする光学ユニット。
【請求項２】
前記係合部が光軸と直交する方向へ弾性変位しない状態では、前記固着部は前記固定枠の一部と重ならないように形成されていることを特徴とする請求項１に記載の光学ユニット。
【請求項３】
光学部材と、
前記光学部材が固定される枠体と、
前記枠体に前記光学部材を固定するための固定枠とを備え、
前記固定枠は、光軸と直交する方向へ弾性変位した状態で前記光学部材を保持する係合部を有し、
前記係合部には、前記光学部材の光軸方向への移動を規制するように前記光学部材と係合する爪部と固着部とが設けられ、
前記固着部と前記枠体とが固着されていることを特徴とする光学ユニット。
【請求項４】
前記固定枠は、前記係合部として、光軸周りに円弧状に伸びる帯形状の複数の係合部を有し、
前記複数の係合部は、それぞれ、互いに共働して前記光学部材を受け入れ可能な直径寸法を有する空間を形成するように、光軸と直交する方向に弾性変位することを特徴とする請求項１ないし３のいずれか１つに記載の光学ユニット。
【請求項５】
前記係合部に設けられている前記爪部は、前記光学部材を光軸方向に押圧するように前記光学部材の外周部と係合することを特徴とする請求項１ないし４のいずれ１つかに記載の光学ユニット。
【請求項６】
前記固定枠は、第１の光学部材を保持する第１の係合部と、前記第１の光学部材とは異なる第２の光学部材を保持する第２の係合部とを備え、
前記第１の係合部と前記第２の係合部とは光軸と直交する方向に並んで形成されていることを特徴とする請求項１ないし５のいずれか１つに記載の光学ユニット。
【請求項７】
前記固定枠は赤外線を吸収する材料が含まれる樹脂材で形成されていることを特徴とする請求項１ないし６のいずれか１つに記載の光学ユニット。
【請求項８】
光軸と直交する方向へ弾性変位可能な係合部を有し、前記係合部に光学部材の光軸方向への移動を規制する爪部および固着部が設けられている固定枠を用いて、前記光学部材を固定するための光学部材の固定方法であって、
前記固着部が前記固定枠の一部と重なるように前記係合部を光軸と直交する方向へ弾性変位させて前記係合部に前記光学部材を保持させるとともに、前記爪部を前記光学部材と係合させる工程と、
前記光学部材を保持する前記係合部を押圧して光軸と直交する方向へ弾性変位させることによって、前記光学部材の光軸と直交する方向の位置決めを行う工程と、
前記光学部材の光軸と直交する方向の位置決め後に、重なっている前記固着部と前記固定枠の一部とを固着する工程と
を有することを特徴とする光学部材の固定方法。
【請求項９】
光軸と直交する方向へ弾性変位可能な係合部を有し、前記係合部に光学部材の光軸方向への移動を規制する爪部および固着部が設けられている固定枠を用いて、前記光学部材を枠体に固定するための光学部材の固定方法であって、
前記係合部を光軸と直交する方向へ弾性変位させて前記係合部に前記光学部材を保持させるとともに、前記爪部を前記光学部材と係合させる工程と、
前記光学部材を保持する前記係合部を押圧して光軸と直交する方向へ弾性変位させることによって、前記光学部材の光軸と直交する方向の位置決めを行う工程と、
前記光学部材の光軸と直交する方向の位置決め後に、前記固着部と前記枠体とを固着する工程と
を有することを特徴とする光学部材の固定方法。
【請求項１０】
重なっている前記固着部と前記固定枠の一部との固着に、レーザ溶着を用いることを特徴とする請求項８に記載の光学部材の固定方法。
【請求項１１】
重なっている前記固着部と前記枠体との固着に、レーザ溶着を用いることを特徴とする請求項９に記載の光学部材の固定方法。
【手続補正２】
【補正対象書類名】明細書
【補正対象項目名】００１５
【補正方法】変更
【補正の内容】
【００１５】
本発明は、上記目的を達成するため、光学部材と、前記光学部材を固定する固定枠とを備え、前記固定枠は、光軸と直交する方向へ弾性変位した状態で前記光学部材を保持する係合部を有し、前記係合部には、前記光学部材の光軸方向への移動を規制するように前記光学部材と係合する爪部と固着部とが設けられ、前記係合部が前記光学部材を保持するために光軸と直交する方向へ弾性変位した状態で、前記固着部は前記固定枠の一部と重なるように形成され、重なっている前記固着部と前記固定枠の一部とが固着されていることを特徴とする光学ユニットを提供する。
【手続補正３】
【補正対象書類名】明細書
【補正対象項目名】００１６
【補正方法】変更
【補正の内容】
【００１６】
本発明は、上記目的を達成するため、光学部材と、前記光学部材が固定される枠体と、前記枠体に前記光学部材を固定するための固定枠とを備え、前記固定枠は、光軸と直交する方向へ弾性変位した状態で前記光学部材を保持する係合部を有し、前記係合部には、前記光学部材の光軸方向への移動を規制するように前記光学部材と係合する爪部と固着部とが設けられ、前記固着部と前記枠体とが固着されていることを特徴とする光学ユニットを提供する。
【手続補正４】
【補正対象書類名】明細書
【補正対象項目名】００３６
【補正方法】変更
【補正の内容】
【００３６】
各係合部１０２の他端には、それぞれ、光軸と直交する方向へ内方に向けて突出し、レンズ１０を固定するための爪部１０３が一体に形成されている。また、各係合部１０２の他端には、それぞれ、光軸と直交する方向へ外方に向けて突出する固着部１０４が一体に形成されており、各固着部１０４は、後述するように、レーザ溶着により、当該固着部１０４と対向する溶着面１０６と固定される。
【手続補正５】
【補正対象書類名】明細書
【補正対象項目名】００７４
【補正方法】変更
【補正の内容】
【００７４】
これに対し、空間Ｓ１にレンズ１０が挿入される際には、図８に示すように、各係合部４０２がそれぞれ光軸と直交する方向へ外方に向けて弾性変位し、各係合部４０２が共働して形成する空間Ｓ１にレンズ１０が挿入される。そして、レンズ１０は、位置決め面４２４に載置される。このとき、各係合部４０２の爪部４０３は、それぞれ、レンズ１０の外周部と係合され、各係合部４０２は、レンズ１０の外周部と当接される。このとき、レンズ１０は、各爪部４０３により、位置決め面４２４に押し付けられ、レンズ１０の光軸方向への移動が規制される。また、レンズ１０は、各係合部４０２により、光軸方向と直交する方向へ押圧された状態で保持されることになる。また、各係合部４０２の弾性変位に伴い、各固着部４０４は、仕切り板４２０の溶着面４２５に対向する位置まで変位され、溶着面４２５と当接される。
【手続補正６】
【補正対象書類名】明細書
【補正対象項目名】００８０
【補正方法】変更
【補正の内容】
【００８０】
これに対し、空間Ｓ２にレンズ１１が挿入される際には、図９（ａ），（ｂ）に示すように、各係合部４１２がそれぞれ光軸と直交する方向へ外方に向けて弾性変位し、各係合部４１２が共働して形成する空間Ｓ２にレンズ１１が挿入される。そして、レンズ１１は、位置決め面４２６に載置される。このとき、各係合部４１２の爪部４１３は、それぞれ、レンズ１１の外周部と係合され、各係合部４１２は、レンズ１０の外周部と当接される。これにより、レンズ１１は、各爪部４１３により、位置決め面４２６に押し付けられ、レンズ１１の光軸方向への移動が規制される。また、レンズ１１は、各係合部４１２に、光軸と直交する方向へ押圧された状態で保持されることになる。また、各係合部４１２の弾性変位に伴い、各固着部４１４は、仕切り板４２０の溶着面４２７に対向する位置まで変位され、溶着面４２７と当接される。
【手続補正７】
【補正対象書類名】図面
【補正対象項目名】図６
【補正方法】変更
【補正の内容】
【図６】
2009294612.tif 000001
【手続補正８】
【補正対象書類名】図面
【補正対象項目名】図９
【補正方法】変更
【補正の内容】
【図９】
2009294612.tif 000002